(57)【特許請求の範囲】
【請求項１】
ネットワークを介してサーバシステムに接続可能な画像読取装置であって、
前記画像読取装置にセットされている原稿の画像を読取る読取手段と、
ユーザ端末に対するユーザの操作により、前記サーバシステムを介して前記ユーザ端末からの読取指示を受信する受信手段と、
前記画像読取装置が備える操作部に対する前記ユーザの操作により読取指示を入力する入力手段と、を有し、
前記受信手段により前記ユーザ端末からの第１の読取指示が受信された後、前記入力手段により次の読取に関する第２の読取指示が入力された場合、
前記読取手段は、前記第１の読取指示に基づく第１の読取と、前記第２の読取指示に基づく第２の読取を実行し、
前記第１の読取により得られた第１の画像と、前記第２の読取により得られた第２の画像が複数ページとして格納されることを特徴とする画像読取装置。
【請求項２】
前記第１の画像と前記第２の画像が、ファイル内の複数ページとして格納されることを特徴とする請求項１に記載の画像読取装置。
【請求項３】
前記受信手段による前記第１の読取指示の受信の前に所定の読取設定が指定されている場合に、前記第１の画像と前記第２の画像が複数ページとして格納されることを特徴とする請求項１又は２に記載の画像読取装置。
【請求項４】
前記所定の読取設定は、複数ページを格納可能な所定のファイル形式であることを特徴とする請求項３に記載の画像読取装置。
【請求項５】
前記受信手段による前記第１の読取指示の受信の前に、前記サーバシステムにより前記ユーザ端末に表示された画面において読取設定が指定され、当該指定された読取設定が前記受信手段により受信されることを特徴とする請求項３又は４に記載の画像読取装置。
【請求項６】
前記読取設定はさらに、読取解像度、原稿サイズ、読取方法、読取ページ数の少なくとも１つを含むことを特徴とする請求項５に記載の画像読取装置。
【請求項７】
前記受信手段により前記第１の読取指示が受信された後、前記第２の読取指示を入力するための画面を、前記画像読取装置が備える表示部に表示する表示手段をさらに有し、
前記入力手段は、前記表示手段により表示された画面に対する操作に応じて、前記第２の読取指示を入力することを特徴とする請求項１乃至６のいずれか１項に記載の画像読取装置。
【請求項８】
前記第１の読取の後に、前記表示手段による表示が行われることを特徴とする請求項７に記載の画像読取装置。
【請求項９】
前記表示手段により表示される画面は、次の読取指示、又は、読取終了の指示を促す画面であることを特徴とする請求項７又は８に記載の画像読取装置。
【請求項１０】
前記表示部と前記操作部は、タッチパネル付きのディスプレイであることを特徴とする請求項７乃至９のいずれか１項に記載の画像読取装置。
【請求項１１】
前記入力手段により入力された読取指示に応じて、前記読取手段による前記次の読取の開始、前記読取手段による読取の終了、次に読取を行う原稿の有無の少なくとも１つを前記サーバシステムに通知する通知手段をさらに有することを特徴とする請求項７乃至１０のいずれか１項に記載の画像読取装置。
【請求項１２】
前記通知手段は、前記第１の読取と前記第２の読取が終了するごとに、前記サーバシステムに前記読取手段による読取の終了を通知し、前記表示手段は、前記第１の読取と前記第２の読取が終了するごとに、前記画面の表示を行うことを特徴とする請求項１１に記載の画像読取装置。
【請求項１３】
前記読取手段は、フラットベッド型のスキャナを含むことを特徴とする請求項１乃至１２のいずれか１項に記載の画像読取装置。
【請求項１４】
前記読取手段による読取で得られた原稿の画像を前記サーバシステムに転送する転送手段をさらに有し、
前記転送手段は、前記第１の読取により得られた第１の画像と、前記第２の読取により得られた第２の画像を前記サーバシステムに転送し、
前記転送手段により転送された前記第１の画像と前記第２の画像が複数ページとして前記サーバシステムに格納されることを特徴とする請求項１乃至１３のいずれか１項に記載の画像読取装置。
【請求項１５】
前記転送手段による前記第１の画像の転送の後に、前記入力手段により前記第２の読取指示が入力されることを特徴とする請求項１４に記載の画像読取装置。
【請求項１６】
前記読取手段による前記第１の読取の後に、前記入力手段により前記第２の読取指示が入力されることを特徴とする請求項１乃至１５のいずれか１項に記載の画像読取装置。
【請求項１７】
請求項１乃至１６のいずれか１項に記載の画像読取装置の各手段をコンピュータに実行させることを特徴とするプログラム。
【請求項１８】
ネットワークを介してサーバシステムに接続可能な画像読取装置の画像読取方法であって、
前記画像読取装置にセットされている原稿の画像を読取る読取工程と、
ユーザ端末に対するユーザの操作により、前記サーバシステムを介して前記ユーザ端末からの読取指示を受信する受信工程と、
前記画像読取装置が備える操作部に対する前記ユーザの操作により読取指示を入力する入力工程と、を有し、
前記受信工程において前記ユーザ端末からの第１の読取指示が受信された後、前記入力工程において次の読取りに関する第２の読取指示が入力された場合、
前記読取工程では、前記第１の読取指示に基づく第１の読取と、前記第２の読取指示に基づく第２の読取を実行し、
前記第１の読取により得られた第１の画像と、前記第２の読取により得られた第２の画像が複数ページとして格納されることを特徴とする画像読取方法。
【請求項１９】
請求項１乃至１６のいずれか１項に記載の画像読取装置とユーザ端末とサーバシステムとがネットワークを介して接続されて構成される画像読取システムであって、
前記ユーザ端末は、
前記サーバシステムに原稿の読取指示を行う指示手段と、
前記画像読取装置による画像読取の進行に従った状況を前記サーバシステムから受信し、前記状況を表示する表示手段とを有し、
前記サーバシステムは、
前記ユーザ端末からの読取指示に基いて、前記画像読取装置に対する画像読取の指示を作成して前記画像読取装置に送信する第１の送信手段と、
前記画像読取装置からの通知に基いて、前記画像読取装置による画像読取の進行に従った状況を前記ユーザ端末の表示手段に表示させるために、前記ユーザ端末に送信する第２の送信手段とを有することを特徴とする画像読取システム。
【請求項２０】
請求項１乃至１６のいずれか１項に記載の画像読取装置とネットワークを介して接続されるサーバシステムであって、
前記第２の読取指示に応じた前記画像読取装置からの通知に基づいて、前記第１の画像と前記第２の画像を複数ページとして格納する格納手段を有することを特徴とするサーバシステム。
【請求項２１】
前記サーバシステムは、複数のサーバを含むことを特徴とする請求項２０に記載のサーバシステム。
【発明の詳細な説明】
【技術分野】
【０００１】
本発明は画像読取装置、プログラム、画像読取方法、画像読取システム、及びサーバシステムに関し、特に、例えば、インターネットなどのネットワークを介してユーザ端末と結合された画像読取装置、プログラム、画像読取方法、画像読取システム、及びサーバシステムに関する。
【背景技術】
【０００２】
近年インターネット上のＳＮＳ（ソーシャル・ネットワーク・サービス）と呼ばれるクラウド環境を利用したサービスが増えている。クラウド環境を利用したサービスではパーソナルコンピュータやスマートフォンなどのユーザ端末によって文章や画像をサーバ上に保存して複数のユーザ間での情報共有を行なうことができる。クラウド環境への画像保存に画像読取装置を使用するとデジタルカメラ等で撮影した画像に比べて印刷物等を歪みのない画像として読取ることが可能である。
【０００３】
例えば、特許文献１では画像読取装置からの画像取得とクラウド環境への画像追加を統合し端末から操作する技術を開示している。
【先行技術文献】
【特許文献】
【０００４】
【特許文献１】特開２０１３−１４９２５４号公報
【発明の概要】
【発明が解決しようとする課題】
【０００５】
上記特許文献１では、ユーザ端末（以下、端末）に対する操作により画像読取装置による読取が行われる。
【０００６】
しかしながら例えば複数枚の原稿をユーザが順次画像読取装置にセットし、当該複数枚の原稿が順次読み取られる場合に、ユーザが読取指示を端末に対して行うと以下の課題がある。即ち、ユーザは画像読取装置に対する原稿のセットと、端末への読み取り指示を全ての原稿に対して繰り返し行わなくてはならない。するとユーザは画像読取装置、端末という異なる装置への操作（原稿のセット、読み取り指示）を繰り返さなければならない。
【０００７】
本発明は上記従来例に鑑みてなされたもので、ユーザ操作性を向上させ、効率的に画像の読取を行うことができる画像読取装置、プログラム、画像読取方法、画像読取システム、及びサーバシステムを提供することを目的としている。
【課題を解決するための手段】
【０００８】
上記目的を達成するために本発明の画像読取装置は次のような構成からなる。
【０００９】
即ち、ネットワークを介してサーバシステムに接続可能な画像読取装置であって、前記画像読取装置にセットされている原稿の画像を読取る読取手段と、ユーザ端末に対するユーザの操作により、前記サーバシステムを介して前記ユーザ端末からの読取指示を受信する受信手段と、前記画像読取装置が備える操作部に対する前記ユーザの操作により読取指示を入力する入力手段と、を有し、前記受信手段により前記ユーザ端末からの第１の読取指示が受信された後、前記入力手段により次の読取に関する第２の読取指示が入力された場合、前記読取手段は、前記第１の読取指示に基づく第１の読取と、前記第２の読取指示に基づく第２の読取を実行し、前記第１の読取により得られた第１の画像と、前記第２の読取により得られた第２の画像が複数ページとして格納されることを特徴とする。
【発明の効果】
【００１０】
従って本発明によれば、例えば、インターネットなどのネットワークを介してクラウド環境のサーバに接続して原稿の読取を行う場合のユーザ操作性を向上させることができる。
【図面の簡単な説明】
【００１１】
【図１】本発明の実施形態である画像読取システムの構成を示すブロック図である。
【図２】画像読取装置の構成を示すブロック図である。
【図３】クラウド・スキャンサービスの構成を示すブロック図である。
【図４】操作端末の操作画面の例を示す図である。
【図５】２ページの読取処理においてクラウド・スキャンサービスと、画像読取装置と操作端末とユーザとの間で行われるシーケンスを示す図である。
【図６】画像読取装置の表示部に表示される読取指示画面の例を示す図である。
【図７】スキャンジョブの構成例を示す図である。
【図８】スキャンパラメータの例を示す図である。
【図９】画像読取装置の画像読取処理を示すフローチャートである。
【図１０】画像読取装置にスキャンジョブを通知するクラウド・スキャンサービスで実行される処理を示すフローチャートである。
【図１１】画像読取装置から処理状態情報の通知を受信した時にクラウド・スキャンサービスで実行される処理を示すフローチャートである。
【図１２】１ページの読取処理に用いられスキャンパラメータの例を示す図である。
【図１３】１ページの読取処理においてクラウド・スキャンサービスと画像読取装置と操作端末とユーザとの間で行われるシーケンスを示す図である。
【図１４】クラウド・スキャンサービスと画像読取装置との間で行われる通信シーケンスの例を示す図である。
【図１５】操作端末の画面の例を示す図である。
【発明を実施するための形態】
【００１２】
以下添付図面を参照して本発明の実施形態について、さらに具体的かつ詳細に説明する。ただし、この実施形態に記載されている構成要素の相対配置等は、特定の記載がない限りは、この発明の範囲をそれらのみに限定する趣旨のものではない。
【００１３】
なお、この明細書において、「記録」（「プリント」という場合もある）とは、文字、図形等有意の情報を形成する場合のみならず、有意無意を問わない。さらに人間が視覚で知覚し得るように顕在化したものであるか否かも問わず、広く記録媒体上に画像、模様、パターン等を形成する、または媒体の加工を行う場合も表すものとする。
【００１４】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００１５】
ここで、端末を用いた原稿の読取シーケンスの一例を説明する。例えば端末から画像読取装置に対して、画像読取開始を指示してフラットベッド（ＦＢ）型の画像読取装置を用いて複数ページ以上の原稿を読取り、これをサーバに保存する場合、図１４に示すような手順を実行することが必要となる。
【００１６】
図１４はユーザが操作端末を使用して画像読取装置で２ページの原稿の画像を順次読取る時のシーケンスを示す図である。
【００１７】
図１４において、スキャンサービス１４０１はクラウド・スキャンサービス１０２の状態を示す。操作端末１０３を使用するユーザ１０５は画像読取装置１０１の読取台（不図示）へ１ページ目の原稿を載置する（１４０２）。続いて、ユーザ１０５は操作端末１０３へ読取開始の指示を入力する（１４０３）。この指示入力に応じて、操作端末１０３はクラウド・スキャンサービス１０２とネットワークを介して通信して読取開始の要求を送信する（１４０４）。
【００１８】
次に、スキャンサービス１４０１では、操作端末１０３からの読取開始の要求に応じてクラウド・スキャンサービス１０２からネットワークを介して画像読取装置１０１と通信してスキャンジョブを送信する。これに応じて、画像読取装置１０１の動作は読取状態となり読取処理１４０６を実行するとともに、画像読取装置１０１はクラウド・スキャンサービス１０２と通信して読取開始を通知する（１４０７）。読取処理１４０６が終了すると、画像読取装置１０１からクラウド・スキャンサービス１０２へ読取られた画像を転送する（１４０８）。その後、クラウド・スキャンサービス１０２から操作端末１０３に次の画像読取を促す入力待ち画面表示要求を送信する（１４０９）。
【００１９】
これに応じて、操作端末１０３はユーザ１０５に対して図１５に示すような画面を表示する（１４１０）。
【００２０】
図１５は次の画像読取を促すメッセージを表示する画面を示す図である。
【００２１】
図１４と図１５とを参照して説明を続けると、ユーザ１０５は画像読取装置１０１の原稿台へ２ページ目の原稿を載置する（１４１１）。その後、ユーザ１０５は操作端末１０３のディスプレイに表示された図１５に示す画面において次ページスキャンを指示するアイコン１５０２を押下して、次ページ読取の指示を行う（１４１２）。この指示を受け付けた操作端末１０３はネットワークを介してクラウド・スキャンサービス１０２と通信して次ページ読取開始を指示する（１４１３）。
【００２２】
次に、この指示に応じて、クラウド・スキャンサービス１０２から画像読取装置１０１へ次ページスキャンジョブを送信し（１４１４）、画像読取装置１０１に読取処理１４１５を開始させる。これにより、画像読取装置１０１の動作は読取状態となる。読取処理１４１５が終了すると、画像読取装置１０１からクラウド・スキャンサービス１０２へ読取られた画像を転送する（１４１６）。その後、クラウド・スキャンサービス１０２から操作端末１０３に次の画像読取を促す入力待ち画面表示要求を送信する（１４１７）。
【００２３】
これに応じて、操作端末１０３は再びユーザ１０５に対して図１５に示すような画面を表示する（１４１８）。
【００２４】
この例では、２ページの原稿読取を説明しているので、ユーザ１０５が操作端末１０３にスキャン終了を指示するアイコン１５０３を押下して、スキャン終了の指示する（１４１９）。
【００２５】
次に、この指示に応じて、操作端末１０３はクラウド・スキャンサービス１０２とネットワークを介して通信して読取終了の通知を送信する（１４２０）。クラウド・スキャンサービス１０２では、この指示に応じて、画像読取装置１０１へ読取終了の通知を送信する（１４２１）。
【００２６】
図１４の例では、１ページ目、２ページ目ともにユーザは操作端末１０３に対して読み取り指示（１４０３、１４１２）を行う。そのため例えばフラットベッド型画像読取装置の場合、その原稿台への原稿セットと次ページの読取開始を指示する動作を、端末、画像読取装置に交互に行うことが必要となる。そのため、操作が煩雑でユーザによっては望ましくないことがある。
【００２７】
またクラウド・スキャンサービス１０２と操作端末１０３と間での入力待ち表示の伝達（１４０９、１４１０、１４１７、１４１８）とそれに対する入力情報の伝達（１４１２、１４１３、１４１９、１４２０）がサーバを経由して２回行われる。このような通信はネットワークの通信処理能力に大きく依存し、クラウド・スキャンサービス１０２と操作端末１０３の間の回線品質が低い場合は通信に長い時間がかかることがある。これはユーザ操作性の点からは望ましくない。
【００２８】
この問題を解決するために、この実施形態では、２ページ目以降の読み取りに関するボタン操作を画像読取装置で処理する。この実施形態の説明を図１に示す構成のネットワーク・スキャン・システムを用いて説明する。
【００２９】
図１は本発明の実施形態である画像読取システムの全体構成を示すブロック図である。
【００３０】
図１に示すように、画像読取システムはインターネット１０４を介して接続された操作端末（ユーザ端末）１０３と画像読取装置（スキャナ）１０１とクラウド・スキャンサービス１０２とから構成される。このように、画像読取装置１０１はネットワーク・スキャンシステムとして機能する。
【００３１】
なお、インターネット１０４は有線又は有線いずれのインターネットでも良いし、無線と有線の混合したインターネットを用いても良い。
【００３２】
また、画像読取装置１０１の実施形としては画像原稿を読取る単機能のスキャナが代表的なものであるが、スキャナ機能とプリンタ機能とを備えた多機能プリンタ装置（ＭＦＰ）でも良いし、さらにファクシミリ機能を加えたＭＦＰであっても良い。
【００３３】
ユーザ１０５は操作端末１０３の操作と画像読取装置１０１の操作と原稿の原稿台への載置を行う。
【００３４】
図２は画像読取装置１０１の詳細な構成を示すブロック図である。
【００３５】
図２において、ＣＰＵ２０２はＲＯＭ２０４に記憶された制御プログラムを読み出し、ＲＡＭ２０３を作業領域として使用して実行する。表示部２０５は次ページ原稿があるかどうか、又は読取終了か等の表示を行う。入力部２０６は次ページ原稿を続けて読取るか読取終了か等の入力指示を行う。表示部２０５と入力部２０６は、例えば、タッチパネル付きディスプレイなどで構成され、そのディスプレイに表示されたアイコンを押下すると入力指示が行われる。
【００３６】
スキャンジョブ解析部２０７はクラウド・スキャンサービス１０２から送られるスキャンジョブ（後述）等やスそのキャンジョブに含まれるスキャンパラメータ（後述）の解析を行う。状態記憶サーバ情報記憶部２０８はスキャンジョブ等に含まれる状態記憶サーバｕｒｌ（後述）を格納する。画像格納サーバ情報記憶部２０９はスキャンジョブ等に含まれる画像格納サーバｕｒｌ（後述）を格納する。読取部２１０はスキャンパラメータの解析結果に従って原稿の読取りを１ページずつ行うフラットベッド型の読取部である。ネットワーク接続部２１１はネットワーク接続機能によってインターネットに接続する。ネットワークインタフェース２１２は画像読取装置１０１がインターネット１０４に接続するためのインタフェースである。
【００３７】
図３はクラウド・スキャンサービス１０２の構成を示すブロック図である。クラウド・スキャンサービス１０２は、図３に示すように、Ｗｅｂサーバ３０１、スキャンジョブ生成サーバ３０２、画像格納サーバ３０３、状態記憶サーバ３０４を含む。
【００３８】
Ｗｅｂサーバ３０１は、後述のようなクラウド・スキャンサービスの操作のための入出力のためのＷｅｂページの表示と入力を行うために用いられるサーバである。スキャンジョブ生成サーバ３０２は、Ｗｅｂサーバ３０１からスキャン設定を受信し、後述するスキャンジョブを生成し、その生成したスキャンジョブを画像読取装置１０１に通知するために用いられるサーバである。画像格納サーバ３０３は、画像読取装置１０１によって読取られた画像を格納するために用いられるサーバである。状態記憶サーバ３０４はデータベースを備え、画像読取装置１０１からスキャンジョブの処理状態情報の通知を受け、これをデータベースに記憶するために用いられるサーバである。ネットワークインタフェース３０５はクラウド・スキャンサービス１０２がインターネット１０４に接続するためのインタフェースである。
【００３９】
図４は操作端末１０３の表示される画面の例を示す図である。
【００４０】
図４（ａ）、図４（ｂ）、図４（ｃ）、図４（ｄ）はそれぞれ、操作端末１０３に表示するＷｅｂページ４０１、Ｗｅｂページ４０４、Ｗｅｂページ４０７、Ｗｅｂページ４０８を示している。
【００４１】
まず、ユーザ１０５が操作端末１０３を使用してＷｅｂサーバ３０１にアクセスするとＷｅｂページ４０１が表示される。図４（ａ）において、アイコン４０２はユーザ１０５が指定可能なスキャン設定項目である。また、アイコン４０３を押下すると、図４（ｂ）に示すＷｅｂページ４０４が表示される。Ｗｅｂページ４０４において、アイコン４０５を押下するとスキャン動作を中止する指示が発行され、アイコン４０６を押下すると、Ｗｅｂサーバ３０１はスキャン設定をネットワークインタフェース３０５を介してスキャンジョブ生成サーバ３０２に通知する。この通知により、図４（ｃ）に示すＷｅｂページ４０７が表示される。
【００４２】
なお、図４（ｄ）のＷｅｂページ４０８については後述する。
【００４３】
次に、図１に示すようなシステム構成において、操作端末１０３と画像読取装置１０１とクラウド・スキャンサービス１０２とが連携して、操作端末１０３を使用するユーザ１０５からの指示により画像読取装置１０１による画像読取の処理について説明する。
【００４４】
ここでは、従来技術と比較して本願の利点を説明するために、図１４で説明したのと同じ条件、即ち、２ページの原稿をユーザの指示により画像読取を実行させる例について説明する。
【００４５】
・全体概要
図５はこの実施形態に従ってユーザが操作端末を使用して画像読取装置で２ページ目以降の原稿の画像を読取る時のシーケンスを示す図である。なお、１ページ目の原稿の読み取りについては、図１３を用いて後述する。
【００４６】
図５において、スキャンサービス５０１はクラウド・スキャンサービス１０２の状態を示す。これは図１４におけるスキャンサービス１４０１に対応するものである。
【００４７】
操作端末１０３を使用するユーザ１０５は画像読取装置１０１の読取台（不図示）へ１ページ目の原稿を載置する（５０２）。続いて、ユーザ１０５は操作端末１０３へ読取開始の指示を入力する（５０３）。この指示入力に応じて、操作端末１０３はクラウド・スキャンサービス１０２とインターネット１０４を介して通信して読取開始の要求（スキャン指示）を送信する（５０４）。
【００４８】
次に、スキャンサービス５０１では、操作端末１０３からの読取開始の要求に応じてクラウド・スキャンサービス１０２からインターネット１０４を介して画像読取装置１０１と通信してスキャンジョブを送信する（５０５）。これに応じて、画像読取装置１０１の動作は読取状態となり読取処理を実行する（５０６）とともに、画像読取装置１０１はクラウド・スキャンサービス１０２と通信して読取開始を通知する（５０７）。読取処理（５０６）が終了すると、画像読取装置１０１からクラウド・スキャンサービス１０２へ読取られた画像を転送する（５０８）。
【００４９】
図１４に示した例では、１ページ目の画像がクラウド・スキャンサービス１０２に送信された後、ユーザが２ページ目の読み取り指示を、操作端末１０３に対して実行していた（１４０９〜１４１３）。図５の例では、２ページ目以降の読み取り指示については、操作端末１０３に対して行う。
【００５０】
そこで、５０８における画像転送後、画像読取装置１０１の動作は入力待ち状態になる（５０９）。そして、画像読取装置１０１は、次の画像読取を促す入力待ちであることを示す図６に示すような画面を表示部２０５に表示する（５１０）。
【００５１】
図６は、次の画像読取を促すメッセージを表示する画面を示す図である。
【００５２】
図５と図６とを参照して説明を続けると、ユーザ１０５は画像読取装置１０１の表示部２０５に表示されたメッセージに促されて、原稿台へ２ページ目の原稿を載置する（５１１）。その後、ユーザ１０５は表示部２０５に表示された図６に示す画面において次ページスキャンを指示するアイコン８０１を押下して、次ページ読取の指示を行う（５１２）。画像読取装置１０１の入力部２０６はこの指示を受け付けて次ページ読取を開始する。これにより、画像読取装置１０１の状態は再び読取状態となり読取処理を実行する（５０１３）。
【００５３】
この時、画像読取装置１０１はインターネット１０４を介して次ページ読取の通知をクラウド・スキャンサービス１０２へ送信する（５１４）。２ページ目の読取処理（５１３）が終了すると、画像読取装置１０１からクラウド・スキャンサービス１０２へインターネット１０４を介して読取られた画像を転送する（５１５）。
【００５４】
その後、画像読取装置１０１の動作は入力待ちの状態になり（５１６）、画像読取装置１０１は、次の画像読取を促す入力待ちであることを示す図６に示すような画面を表示部２０５に再び表示する（５１７）。
【００５５】
この例では、２ページの原稿読取を説明しているので、ユーザ１０５が図６に示した画面においてスキャン終了を指示するアイコン８０２を押下して、読取終了の指示する（５１８）。この指示に応じて、画像読取装置１０１はクラウド・スキャンサービス１０２とインターネット１０４を介して通信して読取終了の通知を送信する（５１９）。
【００５６】
図７はクラウド・スキャンサービス１０２から画像読取装置１０１に送信されるスキャンジョブの例を示す図である。
【００５７】
図７に示すように、スキャンジョブ９０１は、異なる情報を示す部分から構成されている。その構成要素は、スキャンサイズやスキャン解像度などを示すスキャンパラメータ９０２と、処理状態の通知先である状態記憶サーバｕｒｌ９０３と、読取った画像の転送先を示す画像格納サーバｕｒｌ９０４とを含む。
【００５８】
図８はスキャンパラメータ９０２の例を示す図である。
【００５９】
図８に示すように、スキャンパラメータ９０２も、異なる情報を格納する部分に細分化される。スキャンパラメータ９０２はスキャンジョブの読取解像度１００１と原稿サイズ１００２と読取方法１００３と読取ページ数とから構成される。図８に示す例では、読取解像度１００１に３００ＤＰＩが指定され、原稿サイズ１００２にＡ４が指定され、読取方法１００３にＦＢが指定され、読取ページ数１００４に複数が指定されている。なお、読取ページ数１００４は、例えばＰＤＦ等の複数ページを格納可能なファイル形式が図４（ａ）の画面で指定された場合、「複数」に設定される。一方、ＪＰＥＧ等、１つの画像を格納するファイル形式が指定された場合、「１ページ」が設定される。
【００６０】
・画像読取装置の動作
図９は画像読取装置１０１が実行する画像読取処理を示すフローチャートである。なお、図９に示すフローチャートが画像読取装置１０１のＲＯＭ２０４に格納されており、ＣＰＵ２０２がこのプログラムをＲＡＭ２０３上で実行することで、図９で説明する処理が実現される。画像読取装置１０１はスキャンジョブ生成サーバ３０２からスキャンジョブ９０１を受信すると読取処理を開始する。
【００６１】
まず、ステップＳ５０１ではスキャンジョブ９０１の解析を行う。次にステップＳ５０２では、その解析結果に基いて、スキャンジョブ９０１に含まれるスキャンパラメータ９０２に指定される読取方法１００３がＦＢ（フラットベッド型スキャナの読取）でかつ読取ページ数１００４に１ページが指定されているどうかを調べる。
【００６２】
ここで、読取方法がＦＢであり、かつ、読取ページ数が１ページであると判断された場合、処理はステップＳ５０３に進み、画像読取装置１０１から状態記憶サーバ３０４へ読取開始を通知する。さらに、ステップＳ５０４ではスキャンパラメータ９０２の解析結果に従って読取部２１０で画像の読取を行う。ステップＳ５０５では読取部２１０での読取りにより得られた画像データを画像格納サーバ３０３に転送する。その後、ステップＳ５０６では画像読取装置１０１から状態記憶サーバ３０４に読取終了を通知する。
【００６３】
これに対して、読取方法がＦＢであり、かつ、読取ページ数が１ページではないと判断された場合、処理はステップＳ５０７に進み、読取方法がＦＢであり、かつ、読取ページ数が複数ページであるかどうかを調べる。
【００６４】
ここで、読取方法がＦＢであり、かつ、読取ページ数が複数ページであると判断された場合、処理はステップＳ５０８に進み、画像読取装置１０１から状態記憶サーバ３０４へ読取開始を通知する。さらに、ステップＳ５０９ではスキャンパラメータ９０２の解析結果に従って読取部２１０で画像の読取を行う。ステップＳ５１０では読取部２１０での読取りにより得られた画像データを画像格納サーバ３０３に転送する。ステップＳ５１１では、表示部２０５に図８に示したようなメッセージを表示し、次ページ原稿の読取を行うか、又は読取終了の指示を行うのか、ユーザの判断を促す。
【００６５】
その入力があれば、処理はステップＳ５１２に進み、入力部２０６での入力が読取終了の指示であるかどうかを調べる。ここで、読取終了の入力指示であると判断された場合、処理はステップＳ５０６に進み、上述のように、状態記憶サーバ３０４に読取終了を通知する。これに対して、読取終了の入力指示がなく、次ページ原稿の読取指示であると判断された場合、処理はステップＳ５１３に進み、画像読取装置１０１は状態記憶サーバ３０４へ次ページ読取開始を通知する。その後、処理はステップＳ５０９に戻る。
【００６６】
なお、ステップＳ５０７において、読取方法がＦＢでなく、かつ、読取ページ数が複数ページではないと判断された場合、処理は終了する。
【００６７】
・クラウド・スキャンサービスでの処理
図１０は画像読取装置１０１にスキャンジョブを通知するクラウド・スキャンサービス１０２で実行される処理を示すフローチャートである。なお、図１０に示すフローチャートにおける処理に対応するプログラムがクラウド・スキャンサービス１０２が提供する各サーバが備えるＲＯＭやＨＤＤに格納されている。そして当該各サーバのＣＰＵがこのプログラムをメモリ上で実行することで、図１０で説明する処理が実現される。図１０において、ステップＳ６０１〜Ｓ６０４はＷｅｂサーバ３０１で実行する処理であり、ステップＳ６０５〜Ｓ６０７はスキャンジョブ生成サーバ３０２で実行する処理である。
【００６８】
まず、ステップＳ６０１では図４（ａ）のＷｅｂページ４０１を操作端末１０３に表示させる表示制御を行う。Ｗｅｂページ４０１はスキャン設定指定画面であり、ユーザ１０５が操作端末１０３において各種スキャンの設定を入力することができる。ステップＳ６０２では、図４（ｂ）のＷｅｂページ４０４をを操作端末１０３に表示させる表示制御を行う。図４（ｂ）は読取開始確認画面であり、この画面表示中にアイコン４０６を押下すると処理はステップＳ６０３に進む。これに対して、アイコン４０５を押下すると処理はステップＳ６０１に戻る。
【００６９】
ステップＳ６０３では、ステップＳ６０１で指定したスキャン設定をスキャンジョブ生成サーバ３０２に通知する。ステップＳ６０４では、図４（ｃ）のＷｅｂページ４０７をを操作端末１０３に表示させる表示制御を行う。
【００７０】
以上のようなＷｅｂページ作成処理は、Ｗｅｂサーバ３０１で実行されるが、そのＷｅｂページはインクジェット０４を介して送信され操作端末１０３の画面に表示される。
【００７１】
ステップＳ６０５では、スキャンジョブ生成サーバ３０２がＷｅｂサーバ３０１からスキャン設定を受信する。ステップＳ６０６では受信したスキャン設定からスキャンジョブ９０１を生成する。ステップＳ６０７では、生成したスキャンジョブ９０１を画像読取装置１０１に送信する。
【００７２】
図１１はステップＳ５０３、Ｓ５０６、Ｓ５０８、Ｓ５１３において画像読取装置１０１からの通知を状態記憶サーバ３０４が受信した時の状態記憶サーバ３０４とＷｅｂサーバ３０１の処理を示すフローチャートである。図１１において、ステップＳ７０１〜Ｓ７１０は状態記憶サーバ３０４で実行する処理であり、ステップＳ７１１〜Ｓ７１６はＷｅｂサーバ３０１で実行する処理である。なお、図１１に示すフローチャートに対応するプログラムが各サーバが備えるＲＯＭやＨＤＤに格納されており、当該サーバのＣＰＵがこのプログラムをメモリ上で実行することで、図１１で説明する処理が実現される。
【００７３】
ステップＳ７０１では、ステップＳ５０３、Ｓ５０６、Ｓ５０８、Ｓ５１３において画像読取装置１０１が通知した画像読取の進行状況を反映した処理状態情報を受信する。ステップＳ７０２では、受信した処理状態情報が読取開始状態を示しているかどうかを確認する。ここで、画像読取装置１０１が読取開始の状態にあることが確認された場合、処理はステップＳ７０３に進み、そうではない状態にあれば、処理はステップＳ７０５に進む。
【００７４】
ステップＳ７０３では、状態記憶データベースに読取開始状態を記憶し、ステップＳ７０４では読取開始状態をＷｅｂサーバ３０１に通知する。この通知に応じて、Ｗｅｂサーバ３０１はステップＳ７１１で読取開始状態を受信し、さらにステップＳ７１２で図４（ｃ）に示した読取開始画面４０７を操作端末１０３に表示する。
【００７５】
さて、ステップＳ７０５では受信した処理状態情報から、次ページの読取原稿の有無を調べ、次のページが有る状態（次ページ有）を示しているかどうかを確認する。ここで、受信した処理状態情報が“次ページ有”を示していることが確認された場合、処理はステップＳ７０６に進み、そうでない状態にあれば、処理はステップＳ７０８に進む。
【００７６】
ステップＳ７０６ではデータベースに読取中状態を記憶し、読取済みの原稿数の値をカウントアップする。ステップＳ７０７では“次ページ有”の状態をＷｅｂサーバ３０１に通知する。この通知に応じて、Ｗｅｂサーバ３０１はステップＳ７１３で“次ページ有”の状態を受信し、さらにステップＳ７１４で２ページ以降スキャン中を示すＷｅｂ画面（不図示）を作成、これを操作端末１０３に送信する。
【００７７】
さて、ステップＳ７０８では、受信した処理状態情報が読取終了状態を示しているかどうかを確認する。ここで、受信した処理状態情報が読取終了状態を示していることが確認された場合、処理はステップＳ７０９に進み、そうでない状態であれば、処理はステップＳ７０１に戻る。ステップＳ７０９では、データベースに読取終了状態を記憶し、状態を更新する。最後に、ステップＳ７１０では読取終了状態をＷｅｂサーバ３０１に通知する。この通知に応じて、Ｗｅｂサーバ３０１はステップＳ７１５で読取終了状態を受信し、ステップＳ７１６で図４（ｄ）に示すような読取終了画面４０８を作成し、これを操作端末１０３に送信する。ここで、操作端末１０３がＯＫアイコン４０９を押下すると、全ての読取処理が終了する。
【００７８】
なお、Ｗｅｂサーバ３０１はステップＳ７１５の後、画像格納サーバ３０３から読取った画像データを取得し、これを別のクラウドサーバへ送信してもよい。
【００７９】
なお、以上説明した処理は、２ページの原稿を読取る例であったが、１ページの原稿を読取る例にも適用できる。
【００８０】
図１２はスキャンパラメータ９０２に１ページの原稿読取の条件を指定した例を示す図である。図１２と図８とを比較すると分かるように、この例では、読取解像度１００１と原稿サイズ１００２と読取方法１００３とは、図８に示す例と同じであるが、読取ページ数１１０１に１ページが指定される。
【００８１】
図１３はこの実施形態に従ってユーザが操作端末を使用して画像読取装置で１ページの原稿から画像を読取る時のシーケンスを示す図である。なお、図１３において、図５で説明したのと同じシーケンスや動作については同じ参照番号を付し、その説明は省略する。
【００８２】
１ページの読取処理では、読取処理（５０８）の終了後、画像読取装置１０１からクラウド・スキャンサービス１０２へ読取部２１０で原稿を読取って得られた画像データを転送する（５０８）。その後、画像読取装置１０１からクラウド・スキャンサービス１０２へ読取終了の通知を送信する（５２０）。
【００８３】
従って以上説明した実施形態に従えば、ユーザは１ページ目の原稿読取に対する指示を操作端末１０３に対して行う。そのため、例えば操作端末１０３を用いてクラウド・スキャンサービス１０２にアクセスした場合、そのまま操作端末１０３を操作することで、読み取り指示や読取設定の指示を行うことができる。またユーザは、２ページ目以降の原稿読み取り指示については、画像読取装置１０１に対して行う。そのため、ユーザが２ページ目以降の原稿を画像読取装置１０１に載置した後、そのまま画像読取装置１０１を操作することで、２ページ目以降の画像読み取り指示を行うことができる。
【００８４】
即ち、ユーザは自分の操作端末からは原稿読取の開始時の操作を行い、原稿載置と画像読取中の操作は画像読取装置で行うことが可能となるので、ユーザ操作性を向上させることができる。
【００８５】
また、２ページ目の読取を行う場合には、インターネットを使ったクラウド・スキャンサービスを経由した操作端末と画像読取装置の通信や新たなスキャンジョブの生成を行う必要がなくなるので、インターネットを経由した処理を低減することができる。これにより、速やかな読取開始を実現することが可能になり、さらには、原稿を画像読取装置に載置するとともに次ページ読取開始の操作を速やかに行うことが可能になる。このようにして、ユーザ操作性が改善されたフラットベッド型スキャナを搭載した画像読取装置における複数ページの画像読取が実現される。
【００８６】
なお上記の実施形態ではフラットベッド型スキャナについて説明したが、例えばＡＤＦ（オートドキュメントフィーダー）を備えるスキャナであってもよい。ＡＤＦの場合、複数枚の原稿を１回の読み取り指示で読み取ることができる。また例えば１回目の読み取り指示により３枚の原稿をＡＤＦで読み取り、２回目の読み取りで追加の２枚の原稿を読み取ることもできる。そこで、例えばユーザは１回目の読み取り指示は操作端末１０３に対して行い、２回目の読み取り指示は画像読取装置１０１に対して行う場合であってもよい。
【００８７】
また以上の実施形態では、画像読取装置１０１は自身の表示部２０５に表示を行う例を示したが、これに限らない。例えば画像読取装置１０１は、画像読取装置１０１に接続されている外部の表示装置に上記実施形態における各種の表示を行う表示制御をおこなってもよい。
【００８８】
さらに、以上の実施形態では、読取部２１０により読み取られた読取画像を画像読取装置１０１がサーバに転送する例を示した。しかしこれに限らず、例えば読取画像を外部または内部のメモリに保存する場合であってもよいし、不図示の記録部に記録媒体（例えば印刷用紙）に記録（印刷）する場合であってもよい。
【００８９】
なお、操作端末１０３の実施形としては、ラップトップやデスクトップのパーソナルコンピュータ（ＰＣ）の他に、スマートフォンやタブレット端末などがあり、インターネットに接続可能なものであれば、その種類は何でも良い。
【符号の説明】
【００９０】
１０１  画像読取装置、１０２  クラウド・スキャンサービス、１０３  操作端末
１０４  インターネット
【図１】
0006417134.tif 000002
【図２】
0006417134.tif 000003
【図３】
0006417134.tif 000004
【図４】
0006417134.tif 000005
【図５】
0006417134.tif 000006
【図６】
0006417134.tif 000007
【図７】
0006417134.tif 000008
【図８】
0006417134.tif 000009
【図９】
0006417134.tif 000010
【図１０】
0006417134.tif 000011
【図１１】
0006417134.tif 000012
【図１２】
0006417134.tif 000013
【図１３】
0006417134.tif 000014
【図１４】
0006417134.tif 000015
【図１５】
0006417134.tif 000016